(57)【特許請求の範囲】
【請求項１】
記録媒体に対して光を照射して情報を記録する光記録装置において、
前記記録媒体に照射する光のパワーの初期値を記憶する記憶手段と、
前記記録媒体の種類を判定する判定手段と、
前記判定手段により判定された種類の前記記録媒体の光のパワーの初期値を、前記記憶手段に記憶されている初期値に基づいて決定する初期値決定手段と、
前記初期値決定手段により決定された初期値を利用して、前記記録媒体に対して照射する光のパワーを決定するパワー決定手段と
を備え、
前記記憶手段には、前記記録媒体に情報を記録する速度について、複数の段階が規定されるとともに、各段階について前記記録媒体に照射する光のパワーの初期値が設定され、前記複数の段階のうちの所定の速度に対応する初期値が決定される
ことを特徴とする光記録装置。
【請求項２】
前記判定手段は、前記記録媒体の特定領域に記憶されている信号を再生し、その再生信号から前記記録媒体の種類を判定する
ことを特徴とする請求項１に記載の光記録装置。
【請求項３】
前記判定手段は、前記記録媒体の特定領域に記憶されている前記記録媒体の製造者、または前記記録媒体の記録層の色素に関する情報から、前記記録媒体の種類を判定する
ことを特徴とする請求項２に記載の光記録装置。
【請求項４】
前記色素は、シアニン、フタロシアニン、またはアゾ系の色素である
ことを特徴とする請求項３に記載の光記録装置。
【請求項５】
前記記録媒体は、ＣＤ−Ｒである
ことを特徴とする請求項１に記載の光記録装置。
【請求項６】
前記パワー決定手段は、前記記録媒体に照射する光のパワーを、前記初期値決定手段により決定された初期値から順次変化させる
ことを特徴とする請求項１に記載の光記録装置。
【請求項７】
前記記憶手段には、所望の速度に対して、前記記録媒体から再生される信号のアシンメトリの目標値が複数設定される
ことを特徴とする請求項１に記載の光記録装置。
【請求項８】
記録媒体に対して光を照射して情報を記録する光記録装置の光記録方法において、
前記記録媒体の種類を判定する判定ステップと、
前記判定ステップの処理により判定された種類の前記記録媒体の光のパワーの初期値を、前記記録媒体に照射する光のパワーの初期値を記憶する記憶処理により記憶されている初期値に基づいて決定する初期値決定ステップと、
前記初期値決定ステップの処理により決定された初期値を利用して、前記記録媒体に対して照射する光のパワーを決定するパワー決定ステップと、
前記記憶処理においては、前記記録媒体に情報を記録する速度について、複数の段階が規定されるとともに、各段階について前記記録媒体に照射する光のパワーの初期値が設定され、前記複数の段階のうちの所定の速度に対応する初期値が決定されるステップと
を含むことを特徴とする光記録方法。
【請求項９】
記録媒体に対して光を照射して情報を記録するためのプログラムであって、
前記記録媒体の種類を判定する判定ステップと、
前記判定ステップの処理により判定された種類の前記記録媒体の光のパワーの初期値を、前記記録媒体に照射する光のパワーの初期値を記憶する記憶処理により記憶されている初期値に基づいて決定する初期値決定ステップと、
前記初期値決定ステップの処理により決定された初期値を利用して、前記記録媒体に対して照射する光のパワーを決定するパワー決定ステップと、
前記記憶処理においては、前記記録媒体に情報を記録する速度について、複数の段階が規定されるとともに、各段階について前記記録媒体に照射する光のパワーの初期値が設定され、前記複数の段階のうちの所定の速度に対応する初期値が決定されるステップと
を含むことを特徴とするプログラムをコンピュータに実行させる媒体。
【発明の詳細な説明】
【０００１】
【発明の属する技術分野】
本発明は、光記録装置および方法、並びに媒体に関し、特に、光ディスクごとに最適なライトパワーを迅速に決定することができるようにした光記録装置および方法、並びに媒体に関する。
【０００２】
【従来の技術】
図１は、CD-R（Compact Disk-Recordable）ドライブ装置の構成例を表している。CD-Rドライブ装置２は、パーソナルコンピュータ１から供給されたデータを、CD-R３へ記録させる。ユーザは、パーソナルコンピュータ１に内蔵されているハードディスク（図示せず）に記録されている所望のデータをCD-R３に記録したいとき、CD-R３をCD-Rドライブ装置２に装着し、パーソナルコンピュータ１に対して記録（書き込み）の開始を指令し、CD-R３に記録させる。CD-Rドライブ装置２はまた、CD-R３に記録されているデータを再生し、パーソナルコンピュータ１に出力する。
【０００３】
CD-Rドライブ装置２は、CD-R３に記録を行う前処理として、記録用のレーザーパワー（以下、ライトパワーと称する）の最適値を求め、求められた最適なライトパワーで記録を行う。ライトパワーの最適値は、ライトストラテジ、CD-R３の回転スピード、CD-Rドライブ装置２のレーザシステム、CD-R３の記録層の材質、および動作時の環境（例えば、温度等）で異なる。そのため、CD-R３へ記録を行うとき、ライトパワーの最適化（以下、OPC（Optimum Power Control）と称する）処理が行われる。OPC処理の方法は、追記型光ディスクの規格書であるオレンジブックに規定されている。
【０００４】
CD-R３には、図２に示すように、パワーキャリブレーションエリア（以下、PCA（Power Calibration Area）と称する）４が設けられている。OPC処理は、PCA４に複数のレベルのライトパワーで記録（試し書き）を行い、再生信号のアシンメトリを測定することにより行われる。
【０００５】
PCA４は、テストエリア（Test Area）とカウントエリア(Count Area)に区分されており、それぞれ、１００個のパーティションで構成される。１回の試し書きで、１個のパーティションが利用されるため、１００回の試し書きを行うことが可能とされている。試し書きが行われるのは、テストエリアであり、テストエリアの１パーティションは、１５フレームとされている。そして、OPC処理により得られた最適なライトパワーで、リードインエリアスタート位置５より外周の所定のトラックから、CD-R３に記録が行われる。
【０００６】
図３は、OPC処理の原理を表している。例えば、１パーティション（１５フレーム）で、１５段階のレベルのライトパワーで試し書きを行う場合、ライトパワーの１段階の変化幅は０．１６mW、最大ライトパワーは１３．５mWとされ、所定の記録アドレス（以下、ATIP（Absolute Time In Pregroove）と称する）の位置に、それぞれのレベルのライトパワーで記録が行われる。最適ライトパワーは、CD-R３の回転速度が標準のとき６mW乃至８mW、倍速のとき８mW乃至１２mWとなる。
【０００７】
テストエリアの領域は、少ない程、その分だけ本来のデータ記録領域を広くすることができ、ディスクの記録容量を向上することができる。そこで、１パーティションを複数に分割することにより、テストエリアの領域を少なくし、代わりにOPC処理の回数を増やす方法も提案されている。
【０００８】
また、その他のOPC処理の方法として、CD-Rに記録されている情報から、そのメーカ名を認識し、そのメーカが推奨するライトパワー等の情報をメモリに格納しておき、その情報を、参照することにより、最適なライトパワーを設定する方法も提案されている。
【０００９】
【発明が解決しようとする課題】
ところで、オレンジブックに規定されているOPC処理においては、ライトパワーを初期値に設定した後、最適値に収束するまで、ライトパワーの値を変更する処理を繰り返す必要がある。従来、この初期値は、最適値から大きく離れた値に設定されているため、最適値に収束するまで時間がかかる課題があった。
【００１０】
PCA４は、図２に示すように、リードインエリアスタート位置５のさらに内周部に存在する。最内周部で最適値として求められたライトパワーは、外周部において、ディスクの反り、あるいは塗りむらなどにより、必ずしも最適値ではない可能性がある。そこで、その内外周差を埋めるために、リードインエリアスタート位置５より外周のデータエリアにおける記録時に、CD-R３からの反射光のレベルが目標値になるように制御するランニングOPC処理が行われているが、その目標値は、内周部で行われたOPC処理で決定されたものであるため、外周部では最適値ではない課題があった。
【００１１】
また、１パーティションを複数に分割して試し書きを行う方法は、記録容量を向上することができる代わりに、OPC処理回数を増やすことになるので、やはり、効率的に最適なライトパワーを求めることができない課題があった。
【００１２】
さらに、ライトパワーをメモリに予め格納しておき、そこから最適なライトパワーを設定する方法は迅速にライトパワーを設定することができるが、その値は、そのCD-R３を同一メーカのCD-Rドライブ装置２に装着した場合の推奨値であるため、CD-R３を他メーカのCD-Rドライブ装置２に装着した場合における最適ライトパワーは、その値から大きくずれる可能性があるばかりでなく、CD-R３やCD-Rドライブ装置２の個々のバラツキや、動作環境の違いによる影響を吸収できない課題があった。
【００１３】
本発明はこのような状況に鑑みてなされたものであり、光ディスクの種類に対応した初期値を利用することにより、少ないOPC処理回数で、最適なライトパワーを決定することができるようにするものである。
【００１４】
【課題を解決するための手段】
請求項１に記載の光記録装置は、記録媒体に照射する光のパワーの初期値を記憶する記憶手段と、記録媒体の種類を判定する判定手段と、判定手段により判定された種類の記録媒体の光のパワーの初期値を、記憶手段に記憶されている初期値に基づいて決定する初期値決定手段と、初期値決定手段により決定された初期値を利用して、記録媒体に対して照射する光のパワーを決定するパワー決定手段とを備え、記憶手段には、記録媒体に情報を記録する速度について、複数の段階が規定されるとともに、各段階について記録媒体に照射する光のパワーの初期値が設定され、複数の段階のうちの所定の速度に対応する初期値が決定されることを特徴とする。
【００１５】
請求項８に記載の光記録方法は、記録媒体に照射する光のパワーの初期値を記憶する記憶ステップと、記録媒体の種類を判定する判定ステップと、判定ステップの処理により判定された種類の記録媒体の光のパワーの初期値を、記録媒体に照射する光のパワーの初期値を記憶する記憶処理により記憶されている初期値に基づいて決定する初期値決定ステップと、初期値決定ステップの処理により決定された初期値を利用して、記録媒体に対して照射する光のパワーを決定するパワー決定ステップと、記憶処理においては、記録媒体に情報を記録する速度について、複数の段階が規定されるとともに、各段階について記録媒体に照射する光のパワーの初期値が設定され、複数の段階のうちの所定の速度に対応する初期値が決定されるステップとを含むことを特徴とする。
【００１６】
請求項９に記載の媒体のプログラムは、記録媒体に照射する光のパワーの初期値を記憶する記憶ステップと、記録媒体の種類を判定する判定ステップと、判定ステップの処理により判定された種類の記録媒体の光のパワーの初期値を、記録媒体に照射する光のパワーの初期値を記憶する記憶処理により記憶されている初期値に基づいて決定する初期値決定ステップと、初期値決定ステップの処理により決定された初期値を利用して、記録媒体に対して照射する光のパワーを決定するパワー決定ステップと、記憶処理においては、記録媒体に情報を記録する速度について、複数の段階が規定されるとともに、各段階について記録媒体に照射する光のパワーの初期値が設定され、複数の段階のうちの所定の速度に対応する初期値が決定されるステップとを含むことを特徴とする。
【００１７】
請求項１に記載の光記録装置、請求項８に記載の光記録方法、および請求項９に記載の媒体においては、記録媒体の種類に基づいて決定された初期値を利用して、パワーが決定される。
【００１８】
【発明の実施の形態】
以下、本発明に係わるCD-Rドライブ装置の構成について、図４を参照して説明する。CD-R３は、スピンドルモータ１０により所定の回転速度で回転されるスピンドル１０−Ａに装着される。
【００１９】
光ピックアップ（Optical Pickup）１１は内蔵するレーザダイオード１２から、CD-R３の信号面に光を照射し、データを記録または再生する。CD-R３の信号面より反射された光は、信号（ピット）の有無により変調されており、光ピックアップ１１の検出器１３で受光される。ここで、光ピックアップ１１は、スレッドモータ１４によりCD-R３の半径方向に駆動される。
【００２０】
検出器１３は、CD-R３からの光を電気信号に変換し、RF（Radio Frequency）処理部１７に出力する。
【００２１】
アクチュエータドライバ１５は、スピンドルモータ１０、光ピックアップ１１、およびスレッドモータ１４を駆動する。
【００２２】
レーザコントロール部１６は、光ピックアップ１１からCD-R３に照射される光を制御する。
【００２３】
RF処理部１７は、検出器１３で検出された信号の加減算処理を行い、トラッキングエラー信号（以下、TE（Tracking  Error）信号と称する）、およびフォーカスエラー信号（以下、FE（Focus Error）信号と称する）を生成し、サーボプロセッサ１８に出力する。RF処理部１７はまた、検出器１３で検出された信号から再生信号を生成し、エンコーダ／デコーダ（Encoder／Decoder）１９に出力する。さらに、RF処理部１７は、再生信号に含まれるATIPを抽出し、制御用マイクロコンピュータ２０に出力する。
【００２４】
サーボプロセッサ１８は、RF処理部１７より入力されるTE信号、およびFE信号に基づいて、アクチュエータドライバ１５をトラッキング制御、およびフォーカス制御する。
【００２５】
エンコーダ／デコーダ１９は、制御用マイクロコンピュータ２０に制御され、RF処理部１７で生成された再生信号をEFM復調し、誤り訂正処理を行った後、CD-ROM（Compact Disk-Read Only Memory）用のフォーマットに変換し、CD-ROM用エンコーダ／デコーダ２２に出力する。エンコーダ／デコーダ１９はまた、CD-ROM用エンコーダ／デコーダ２２から入力された信号をEFM変調し、誤り訂正符号を付加した後、レーザコントロール部１６に出力する。さらに、エンコーダ／デコーダ１９は、誤り訂正等に関する情報を制御用マイクロコンピュータ２０に出力する。
【００２６】
制御用マイクロコンピュータ２０は、RF処理部１７より入力されたCD-R３のATIPに、スペシャルインフォメーション（Special Information）として記録されている情報の中からメーカ名と、そのCD-Rの製造コードを読み取り、そのメーカ名と製造コードのCD-Rに対応するライトパワーの値をメモリ２１から読み出し、OPC処理の初期値に決定し、その初期値を用いて後述するOPC処理を行う。
【００２７】
すなわちメモリ２１には、予めCD-RごとのCD-Rドライブ装置のメーカが測定した、そのCD-Rドライブ装置を用いて各社のCD-R３に対してデータを記録するときの最適ライトパワーが予め格納されている。
【００２８】
CD-ROM用エンコーダ／デコーダ２２は、エンコーダ／デコーダ１９により復調されたCD-ROM用フォーマットの信号を、メモリ２３に格納し、さらに復調して、再生データとする。CD-ROM用エンコーダ／デコーダ２２はまた、ホストコンピュータ２５からインターフェース＆コントローラ２４を介して入力された記録データをメモリ２３に記憶させ、CD-ROM用フォーマットの信号にエンコードして、エンコーダ／デコーダ１９に出力する。
【００２９】
インターフェース＆コントローラ２４は、ホストコンピュータ２５からの指令に基づいて、制御用マイクロコンピュータ２０、およびCD-ROM用エンコーダ／デコーダ２２を制御する。
【００３０】
ホストコンピュータ２５は、ユーザからの指令に対応して、インターフェース＆コントローラ２４を制御し、CD-R３にデータを記録または再生させる。
【００３１】
次に、図４のCD-Rドライブ装置におけるディスクのライトパワーの調整処理について、図５のフローチャートを参照して説明する。
【００３２】
ステップＳ１において、CD-R３は、スピンドルモータ１０により所定の回転速度で回転されるスピンドル１０−Ａに装着される。
【００３３】
ステップＳ２において、アクチュエータドライバ１５は、ホストコンピュータ２５の指令に対応した所定の回転速度で、スピンドル１０−Ａを駆動する。このとき、光ピックアップ１１は、内蔵するレーザダイオード１２から、CD-R３の信号面に光を照射し、検出器１３は、CD-R３の信号面より反射された光を受光し、電気信号に変換する。
【００３４】
ステップＳ３において、RF処理部１７は、検出器１３で検出された信号の加減算処理を行い、TE信号およびFE信号を生成し、サーボプロセッサ１８に出力する。サーボプロセッサ１８は、アクチュエータドライバ１５を介して、光ピックアップ１１をトラッキング制御およびフォーカス制御する。RF処理部１７はまた、再生信号に含まれるATIPを抽出し、制御用マイクロコンピュータ２０に出力する。
【００３５】
ステップＳ４において、制御用マイクロコンピュータ２０は、ステップＳ３で抽出されたATIPに、スペシャルインフォメーションとして記録されている情報の中からメーカ名と、そのCD-Rの製造コード（種類）を読み取る。
【００３６】
ステップＳ５において、制御用マイクロコンピュータ２０は、ステップＳ４で読み取られたメーカ名と、そのCD-R３の製造コードのCD-Rに対応するライトパワーをメモリ２１から読み出し、そのライトパワーをOPC処理の初期値に決定する。ここで、メモリ２１には、予めCD-RごとのCD-Rドライブ装置のメーカが測定した、そのCD-Rドライブ装置を用いて各社のCD-R３に対してデータを記録するときの最適ライトパワーが予め格納されている。
【００３７】
ステップＳ６において、制御用マイクロコンピュータ２０は、ステップＳ５で決定されたライトパワーの初期値を用いて、OPC処理を行い、最適なライトパワーを求める。
【００３８】
次に、OPC処理について図６のフローチャートを参照して説明する。ステップＳ１１において、制御用マイクロコンピュータ２０は、ライトパワーの中心値と、ライトパワーのステップ値（変化幅）の初期値を決定する。ここで、図５のステップＳ５で決定されたライトパワーが初期値として使用される。
【００３９】
ステップＳ１２において、制御用マイクロコンピュータ２０は、光ピックアップ１１を制御し、内蔵するレーザダイオード１２から、数段階のレベルに変化させたライトパワーでレーザ光を発光させ、CD-R３のPCA４のテストエリアに試し書きをさせる。光ピックアップ１１の検出器１３は、CD-R３に試し書きを行うと同時に形成されるピットからの反射光を検出することにより、ピットレベルの測定を行う。すなわち、反射光のレベルを検出させる。
【００４０】
ステップＳ１３において、制御用マイクロコンピュータ２０は、ステップＳ１２で数段階のレベルに変化させたライトパワーの記録信号を再生させる。そして、制御用マイクロコンピュータ２０は、そのとき得られるRF処理部１７からの再生信号から、各段階のライトパワーのアシンメトリを測定する。
【００４１】
ステップＳ１４において、制御用マイクロコンピュータ２０は、ターゲットアシンメトリ（このターゲットアシンメトリも、各製造メーカの製造コード毎に、メモリ２１に記憶されているものである）の付近に測定点が４個以上入っているか否かを判定し、４個以上の測定点がないと判定されたとき、ステップＳ１５に進む。
【００４２】
ステップＳ１５において、制御用マイクロコンピュータ２０は、ライトパワーの中心値と、ライトパワーのステップ値を再計算し（１ステップ分ずらし）、ステップＳ１２に戻る。そして、ステップＳ１４において、ターゲットアシンメトリの付近の測定点が４個以上になるまで、上述した処理が繰り返される。
【００４３】
ターゲットアシンメトリの付近に測定点が４個以上入っている場合、ステップＳ１６において、制御用マイクロコンピュータ２０は、ライトパワーとアシンメトリの関係を直線近似して、ターゲットアシンメトリに対応するライトパワーとランニングOPC処理の目標値を計算する。
【００４４】
その後、データエリアにデータを記録するとき、制御用マイクロコンピュータ２０は、レーザコントロール部１６を介してレーザダイオード１２を制御し、上述した処理により求められた最適ライトパワーと目標値を用いて、光ピックアップ１１に、ランニングOPC処理を実行させる。すなわち、レーザダイオード１２は、CD-R３の信号面に光を照射し、データを記録させる。CD-R３の信号面より反射された光は、光ピックアップ１１の検出器１３で受光される。
【００４５】
検出器１３は、CD-R３からの光を電気信号に変換し、RF処理部１７を介して、制御用マイクロコンピュータ２０に出力する。制御用マイクロコンピュータ２０は、求められた最適ライトパワーを初期値として、レーザダイオード１２にレーザ光を発光させ、その後、CD-R３からの反射光のレベルが目標値になるように制御する。またこのとき、CD-ROM用エンコーダ／デコーダ２２は、ホストコンピュータ２５からインターフェース＆コントローラ２４を介して入力された記録データをメモリ２３に記憶させ、CD-ROM用フォーマットの信号にエンコードして、エンコーダ／デコーダ１９に出力する。エンコーダ／デコーダ１９は、CD-ROM用エンコーダ／デコーダ２２から入力された信号をEFM変調し、誤り訂正符号を付加した後、レーザコントロール部１６に出力する。レーザコントロール部１６は、記録データに対応して、レーザダイオード１２を制御し、CD-R３にデータを記録させる。
【００４６】
一方、再生時、レーザダイオード１２は、一定レベルのレーザ光をCD-R３に照射する。検出器１３は、CD-R３からの信号をRF処理部１７に出力する。エンコーダ／デコーダ１９は、RF処理部１７で生成された再生信号をEFM復調し、誤り訂正処理を行った後、CD-ROM用のフォーマットに変換し、CD-ROM用エンコーダ／デコーダ２２に出力する。CD-ROM用エンコーダ／デコーダ２２は、エンコーダ／デコーダ１９により復調されたCD-ROM用フォーマットの信号を、メモリ２３に格納し、さらに復調して、再生データとする。
【００４７】
なお、上述した実施の形態においては、このCD-Rドライブ装置における、各社のCD-Rのライトパワーを予め測定し、メモリ２１に記憶させておき、そのライトパワーをOPC処理の初期値に設定する方法について説明したが、CD-Rの記録層に使用される色素ごとのライトパワーを予め測定し、メモリ２１に記憶させておくこともできる。
【００４８】
次に、CD-Rの記録層に使用される色素ごとのライトパワーを予めメモリ２１に記憶しておき、OPC処理の初期値に設定する場合のディスクのライトパワー調整処理について、図７のフローチャートを参照して説明する。このとき、CD-Rドライブ装置の全体の構成は、図４における場合と同様とされる。
【００４９】
ステップＳ２１において、CD-R３は、スピンドルモータ１０により所定の回転速度で回転されるスピンドル１０−Ａに装着される。
【００５０】
ステップＳ２２において、アクチュエータドライバ１５は、ホストコンピュータ２５の指令に対応した所定の回転速度で、スピンドル１０−Ａを駆動する。このとき、光ピックアップ１１は、内蔵するレーザダイオード１２から、CD-R３の信号面に光を照射し、検出器１３は、CD-R３の信号面より反射された光を受光し、電気信号に変換する。
【００５１】
ステップＳ２３において、RF処理部１７は、検出器１３で検出された信号の加減算処理を行い、TE信号およびFE信号を生成する。サーボプロセッサ１８は、このTE信号またはFE信号に基づいてアクチュエータドライバ１５を制御し、トラッキング制御およびフォーカス制御を実行させる。RF処理部１７は、再生信号に含まれるATIPを抽出し、制御用マイクロコンピュータ２０に出力する。
【００５２】
ステップＳ２４において、制御用マイクロコンピュータ２０は、ステップＳ２３で抽出されたATIPに、スペシャルインフォメーションとして記録されている情報の中からリードインエリアのスタートタイムを読み取る。オレンジスタンダードジャパン（Orange Standard Japan）で推奨されているディスクアイデンティフィケーション（Disk Identification）には、リードインエリアのスタートタイムが、CD-R３のメーカ、記録層の色素によって決定されることが規定されている。従って、これを読み取ることにより、そのCD-Rの色素を判別することができる。
【００５３】
そこで、ステップＳ２５において、制御用マイクロコンピュータ２０は、ステップＳ２４で読み取られたリードインエリアのスタートタイムから、CD-R３の記録層の色素にアゾ系の色素を用いる所定のメーカ（このメーカは１社だけである）であるか否かを判定し、所定のメーカであると判定した場合、ステップＳ２６に進む。
【００５４】
ステップＳ２６において、制御用マイクロコンピュータ２０は、ステップＳ２５で判定された結果から、CD-R３の記録層の色素は、アゾ系であると決定する。さらに、制御用マイクロコンピュータ２０は、そのCD-Rのアゾ系に対応するライトパワーをメモリ２１から読み出し、そのライトパワーを複数個用意する。
【００５５】
また、ステップＳ２５において、制御用マイクロコンピュータ２０は、ステップＳ２４で読み取られたリードインエリアのスタートタイムから、CD-R３の記録層の色素がアゾ系のメーカのものではないと判定した場合、ステップＳ２７に進む。
【００５６】
ステップＳ２７において、制御用マイクロコンピュータ２０は、ステップＳ２５で判定された結果から、CD-R３の記録層の色素は、シアニン系またはフタロシアニン系であると決定する。そして、リードインエリアのスタートタイムのフレームの１の位が０乃至４であるか否かを判定し、０乃至４（この値は、シアニン系の色素を用いる場合のものであることが規定されている）であると判定した場合、ステップＳ２８に進む。
【００５７】
ステップＳ２８において、制御用マイクロコンピュータ２０は、ステップＳ２７で判定された結果から、CD-R３の記録層の色素は、シアニン系であると決定する。さらに、制御用マイクロコンピュータ２０は、そのCD-Rのシアニン系に対応するライトパワーをメモリ２１から読み出し、そのライトパワーを複数個用意する。
【００５８】
さらにまた、ステップＳ２７において、制御用マイクロコンピュータ２０は、リードインエリアのスタートタイムのフレームの１の位が０乃至４でないと判定した場合、すなわち５乃至９（この値は、フタロシアニン系の色素を用いる場合のものであることが、規定されている）であると判定した場合、ステップＳ２９に進む。
【００５９】
ステップＳ２９において、制御用マイクロコンピュータ２０は、ステップＳ２７で判定された結果から、CD-R３の記録層の色素は、フタロシアニン系であると決定する。さらに、制御用マイクロコンピュータ２０は、そのCD-Rのフタロシアニン系に対応するライトパワーをメモリ２１から読み出し、そのライトパワーを複数個用意する。
【００６０】
ステップＳ３０において、制御用マイクロコンピュータ２０は、ステップＳ２６で用意されたアゾ系のライトパワー、ステップＳ２８で用意されたシアニン系のライトパワー、またはステップＳ２９で用意されたフタロシアニン系のライトパワーを初期値に用いて、図６を参照して説明した場合と同様のOPC処理を行う。
【００６１】
図８は、メモリ２１に記憶されている、CD-Rの記録層に使用される色素の最適ライトパワーの例を示している。ここで示す容量とは、ディスクに記録可能な時間であり、容量が６３分のとき、線速度は１．４ｍ／ｓ、容量が７４分のとき、線速度は１．２ｍ／ｓと規定されている。
【００６２】
例えば、CD-R３への書き込みスピードが標準速度の４倍速で、そのCD-R３の記録層に使用されている色素がシアニン系である場合、容量が６３分のとき、最適な−１０％のターゲットアシンメトリを得るためには、１３．０mW付近（例えば、１２．５mW乃至１３．５mW）のライトパワーが必要とされ、また、容量が７４分のとき、最適な−１０％のターゲットアシンメトリを得るためには、１２．０mW付近（例えば、１１．５mW乃至１２．５mW）のライトパワーが必要となる。そこで、例えば、１２．５mW（容量が６３分のとき）、または１１．５mW（容量が７４分のとき）の値が、OPC処理で初期設定される。
【００６３】
また、例えば、CD-R３への書き込みスピードが標準の２倍速で、そのCD-R３の記録層に使用される色素がフタロシアニン系である場合、容量が６３分のとき、最適な−５％のターゲットアシンメトリを得るためには、９．０mW付近（例えば、８．５mW乃至９．５mW）のライトパワーが必要とされ、また、容量が７４分のとき、最適な−５％のターゲットアシンメトリを得るためには、８．０mW付近（例えば、７．５mW乃至８．５mW）のライトパワーが必要になる。そこで、例えば、８．５mW（容量が６３分のとき）、または７．５mW（容量が７４分のとき）の値が、OPC処理で初期設定される。
【００６４】
さらにまた、例えば、CD-R３への書き込みスピードが標準で、そのCD-R３の記録層に使用される色素がアゾ系である場合、容量が６３分のとき、最適な−８％のターゲットアシンメトリを得るためには、７．０mW付近（例えば、６．５mW乃至７．５mW）のライトパワーが必要とされ、また、容量が７４分のとき、最適な−８％のターゲットアシンメトリを得るためには、６．０mW付近（例えば、５．５mW乃至６．５mW）のライトパワーが必要になる。そこで、例えば、６．５mW（容量が６３分のとき）、または５．５mW（容量が７４分のとき）の値が、OPC処理で初期設定される。
【００６５】
以上のように、最適ライトパワーに近いライトパワーを試し書き時における初期値に決定することにより、少ないOPC処理回数で、迅速に、最適ライトパワーを求めることができる。
【００６６】
図９は、RF処理部１７で生成された再生信号の波形図を示している。数段階のレベルに変化させたライトパワーの記録信号を再生したとき、各々の再生信号は、パルス幅３Ｔ乃至１１Ｔの記録信号で形成される。制御用マイクロコンピュータ２０は、RF処理部１７より生成された再生信号の信号レベルがピークレベルに立ち上がるタイミングＰ１，Ｐ２，Ｐ３・・・、および再生信号の信号レベルがボトムレベルに立ち下がるタイミングＮ１，Ｎ２，Ｎ３・・・を検出し、順次再生信号でのピークレベルの信号とボトムレベルの信号から、アシンメトリを測定する。アシンメトリAsyは、ピットとランドの時間平均の比を表わし、次式で表わされる。
Ａｓｙ＝（Ｂ−Ａ）／｛２（Ａ＋Ｂ）｝
次に、図１０を参照して、上述した一連の処理を実行するプログラムをコンピュータにインストールし、コンピュータによって実行可能な状態とするために用いられる媒体について、そのコンピュータが汎用のパーソナルコンピュータである場合を例として説明する。
【００６７】
プログラムは、図１０（Ａ）に示すように、パーソナルコンピュータ３１に内蔵されている記録媒体としてのハードディスク３２や半導体メモリ３３に予めインストールした状態でユーザに提供することができる。
【００６８】
あるいはまた、プログラムは、図１０（Ｂ）に示すように、フロッピーディスク４１、CD-ROM４２、ＭＯ（Magneto-Optical）ディスク４３、DVD（Digital Versatile Disk）４４、磁気ディスク４５、または半導体メモリ４６などの記録媒体に、一時的あるいは永続的に格納し、パッケージソフトウエアとして提供することができる。
【００６９】
さらに、プログラムは、図１０（Ｃ）に示すように、ダウンロードサイト５１から、デジタル衛星放送用の人工衛星５２を介して、パーソナルコンピュータ５３に無線で転送したり、ローカルエリアネットワーク、インターネットといったネットワーク６１を介して、パーソナルコンピュータ５３に有線で転送し、パーソナルコンピュータ５３おいて、内蔵するハードディスクなどに格納させることができる。
【００７０】
本明細書における媒体とは、これら全ての媒体を含む広義の概念を意味するものである。
【００７１】
また、本明細書において、媒体により提供されるプログラムを記述するステップは、記載された順序に沿って時系列的に行われる処理はもちろん、必ずしも時系列的に処理されなくとも、並列的あるいは個別に実行される処理をも含むものである。
【００７２】
以上においては、本発明をCD-Rに記録するCD-Rドライブ装置に用いる場合を例として説明したが、本発明は、その他の光ディスクに記録または再生する任意の光記録再生装置において利用することが可能である。
【００７３】
【発明の効果】
以上のように、請求項１に記載の光記録装置、請求項８に記載の光記録方法、および請求項９に記載の媒体によれば、光ディスクの種類に対応した初期値を利用するようにしたので、少ないOPC処理回数で、最適なライトパワーを決定することが可能となる。
【図面の簡単な説明】
【図１】  CD-Rドライブ装置の構成例を示す図である。
【図２】図１のCD-R３の平面図である。
【図３】  OPC処理の原理を説明する図である。
【図４】本発明を適用したCD-Rドライブ装置の構成例を示すブロック図である。
【図５】ディスクのライトパワー調整処理を説明するフローチャートである。
【図６】  OPC処理を説明するフローチャートである。
【図７】ディスクのライトパワー調整処理を説明する別のフローチャートである。
【図８】図４のメモリ２１に格納されているライトパワーを説明する図である。
【図９】再生信号の波形図である。
【図１０】媒体を説明する図である。
【符号の説明】
３  CD-R，  １０  スピンドルモータ，  １０−Ａ  スピンドル，  １１  光ピックアップ，  １２  レーザダイオード，  １３  検出器，  １４  スレッドモータ，  １５  アクチュエータドライバ，  １６レーザコントロール部，  １７  RF処理部，  １８  サーボプロセッサ，  １９  エンコーダ／デコーダ，  ２０  制御用マイクロコンピュータ，  ２１  メモリ，  ２２  CD-ROM用エンコーダ／デコーダ，  ２３  メモリ，  ２４インターフェースコントローラ，  ２５  ホストコンピュータ
【図１】
0003861513.tif 000002
【図２】
0003861513.tif 000003
【図３】
0003861513.tif 000004
【図４】
0003861513.tif 000005
【図５】
0003861513.tif 000006
【図６】
0003861513.tif 000007
【図７】
0003861513.tif 000008
【図８】
0003861513.tif 000009
【図９】
0003861513.tif 000010
【図１０】
0003861513.tif 000011